(57)【特許請求の範囲】
【請求項１】
電話機と、該電話機と電話網で回線接続されたＰＢＸと、該ＰＢＸと電話網で回線接続されたＣＴＩサーバと、該ＣＴＩサーバとＬＡＮ接続された管理マネージャと、該管理マネージャとＬＡＮ接続されたコンピュータインターフェースユニットと、該コンピュータインターフェースユニットと照明ネットワークを介して接続された照明機器具とからなり、
前記ＰＢＸは、電話機から発信された内線番号を受信する内線インターフェース、内線データ記録部、発信者番号情報をＣＴＩサーバへ転送する内線インターフェース、各種情報を制御する制御部とからなり、前記制御部は、電話機から受信した内線番号が照明制御用内線番号である時は、着信を受けたこと及び当該電話機の発信者番号情報をＣＴＩサーバへ転送し、照明制御用内線番号でないときは、着信を受けたこと及び当該電話機の発信者番号情報を該当内線番号の電話機に転送し、
前記ＣＴＩサーバには回線上照明制御用内線番号が割り当てられ、前記電話機から照明制御用内線番号を送信することで前記ＰＢＸが前記照明制御用内線番号への着信を受けた場合、前記ＰＢＸは着信を前記ＣＴＩサーバへ転送し、
前記ＣＴＩサーバは前記着信を受けると前記送信された電話機の発信者番号情報を元にＣＳＶファイルの形式で発信者番号情報をＬＡＮに送信することで、前記送信された電話機の発信者番号情報が、管理マネージャで識別され、
前記管理マネージャは、ＬＡＮインターフェース、管理マネージャ制御部、紐付けファイルが記録されている紐付けファイル記録部、照明機器の状態値が記録されている照明状態値記録部、ゲートウェイプログラム、通信インターフェースとからなり、
前記ＣＴＩサーバが、ＰＢＸから転送された発信者番号情報に基づいてＣＳＶファイルを書き出す発信者番号情報変換部と、該書き出されたＣＳＶファイル形式の発信者番号情報を、ＬＡＮインターフェースを介して管理マネージャから読み込み可能に一時保管するＣＴＩサーバ制御部とからなり、
前記管理マネージャ制御部は、前記ＣＴＩサーバ制御部にファイルが生成されたかを監視し、生成された場合前記ＣＴＩサーバの発信者番号情報を前記ＣＴＩサーバ制御部から読込み、該ファイル上の発信者番号情報を、前記紐付けファイル記録部の情報と照合し、該当する発信者番号情報があった時は、その発信者番号情報にかかる内線番号に紐付けされた照明番号情報を取得するとともに、該取得した照明番号情報から、その照明機器の現在の状態値を確認し、照明の状態値を次の段階の状態値に変更する指示をゲートウェイプログラムに送信することで、
前記発信者番号情報に紐付けされた照明機器を制御する
ことを特徴とする照明制御システム。
【請求項２】
前記ＣＴＩサーバ制御部が、ＣＳＶファイル形式の発信者番号情報を読み込み可能に一時保管すると同時に、前記ＰＢＸから転送され開通した双方向通信の切断処理をすること
を特徴とする請求項１に記載の照明制御システム。
【発明の詳細な説明】
【技術分野】
【０００１】
本発明は、照明制御システムに関し、特にオフィス内で各居住者に机上に割り当て設けられたＰＢＸ回線の電話機から照明機器を制御可能とした照明制御システムに関する。
【背景技術】
【０００２】
一般に、ビル内オフィスにおける照明機器は天井部分に取り付けられている。タスク・アンビエント照明の考え方も普及してきているが、居住者の視力の保健的意味から、床面からの所定作業レベルに室用途に応じた照度が保たれるように、手元照明の有無に左右されない適切な照度が設定されている。このため、所定の数量の天井照明が設置されていて、その照明機器の点灯および消灯の制御は、部屋単位もしくは照明列単位（多くは机の集合体である机の島である部署単位に近い配置となる）で壁面に設置された制御スイッチのオン・オフで行われている。
この場合、操作者がわざわざ壁面に設置された制御スイッチのところまで行く必要があり、特に制御スイッチが身近に設けられていない場合等は操作上非常に不便であった。
そのため、省エネのため一部消灯等を心掛けていても、制御スイッチの設置箇所が遠いために消灯されず、無駄に点灯されている照明機器は少なくない。
また、制御スイッチでは、室内全体や、照明列単位やその集合であるエリア単位でのオン・オフはできても、照明器具ごとの制御はできない場合が多い。
営業部署など、午前や夕刻の一部の時間以外机の島にまばらに居住者が執務するような場面では、省エネルギー的に有効な点灯消灯ができるとは言いがたい。
このような問題に対して、例えば、「主操作盤と、単数または複数の照明負荷が接続され前記主操作盤から伝送線を介して送信される制御信号に基づき照明負荷を制御する端末機からなり、電話機を操作して被制御照明負荷の番号及び制御内容を示す情報を入力することで、電話機を用いて照明機器のオン・オフ或いは調光等を行う照明制御システム」が提案されている（特許文献１）。
これによれば、壁面等の制御スイッチまで出向くことなく照明機器のオン・オフが可能である。
しかし、上記特許文献１に記載の発明は、操作者が電話機を操作して被制御照明負荷の番号及び制御内容等を示す情報を個別に入力することが必要なため電話機にこれらの入力手段を設けなければならなかった。また、操作者も電話機の操作時に前記の複雑な操作が要求され煩わしく不便であるという問題がある。
【先行技術文献】
【特許文献】
【０００３】
【特許文献１】特開昭６４−８６２９４号公報
【発明の概要】
【発明が解決しようとする課題】
【０００４】
本発明は、上記事実を考慮して、電話機から照明機器を操作するために決められた内線番号(以下、照明制御用内線番号)を入力するだけで、他の操作をすることなく、前記電話機と紐付けされた照明機器の制御ができる電話機を用いた照明制御システムを得ることを目的とする。
【課題を解決するための手段】
【０００５】
本発明者らは上記課題を下記の手段により解決した。
（１）電話機と、該電話機と電話網で回線接続されたＰＢＸと、該ＰＢＸと電話網で回線接続されたＣＴＩサーバと、該ＣＴＩサーバとＬＡＮ接続された管理マネージャと、該管理マネージャとＬＡＮ接続されたコンピュータインターフェースユニットと、該コンピュータインターフェースユニットと照明ネットワークを介して接続された照明機器具とからなり、
前記ＰＢＸは、電話機から発信された内線番号を受信する内線インターフェース、内線データ記録部、発信者番号情報をＣＴＩサーバへ転送する内線インターフェース、各種情報を制御する制御部とからなり、前記制御部は、電話機から受信した内線番号が照明制御用内線番号である時は、着信を受けたこと及び当該電話機の発信者番号情報をＣＴＩサーバへ転送し、照明制御用内線番号でないときは、着信を受けたこと及び当該電話機の発信者番号情報を該当内線番号の電話機に転送し、
前記ＣＴＩサーバには回線上照明制御用内線番号が割り当てられ、前記電話機から照明制御用内線番号を送信することで前記ＰＢＸが前記照明制御用内線番号への着信を受けた場合、前記ＰＢＸは着信を前記ＣＴＩサーバへ転送し、
前記ＣＴＩサーバは前記着信を受けると前記送信された電話機の発信者番号情報を元にＣＳＶファイルの形式で発信者番号情報をＬＡＮに送信することで、前記送信された電話機の発信者番号情報が、管理マネージャで識別され、
前記管理マネージャは、ＬＡＮインターフェース、管理マネージャ制御部、紐付けファイルが記録されている紐付けファイル記録部、照明機器の状態値が記録されている照明状態値記録部、ゲートウェイプログラム、通信インターフェースとからなり、
前記ＣＴＩサーバが、ＰＢＸから転送された発信者番号情報に基づいてＣＳＶファイルを書き出す発信者番号情報変換部と、該書き出されたＣＳＶファイル形式の発信者番号情報を、ＬＡＮインターフェースを介して管理マネージャから読み込み可能に一時保管するＣＴＩサーバ制御部とからなり、
前記管理マネージャ制御部は、前記ＣＴＩサーバ制御部にファイルが生成されたかを監視し、生成された場合前記ＣＴＩサーバの発信者番号情報を前記ＣＴＩサーバ制御部から読込み、該ファイル上の発信者番号情報を、前記紐付けファイル記録部の情報と照合し、該当する発信者番号情報があった時は、その発信者番号情報にかかる内線番号に紐付けされた照明番号情報を取得するとともに、該取得した照明番号情報から、その照明機器の現在の状態値を確認し、照明の状態値を次の段階の状態値に変更する指示をゲートウェイプログラムに送信することで、
前記発信者番号情報に紐付けされた照明機器を制御する
ことを特徴とする照明制御システム。
（２）前記ＣＴＩサーバ制御部が、ＣＳＶファイル形式の発信者番号情報を読み込み可能に一時保管すると同時に、前記ＰＢＸから転送され開通した双方向通信の切断処理をすることを特徴とする前記（１）に記載の照明制御システム。
【発明の効果】
【０００６】
本発明の照明制御システムにより下記の効果が発揮される。
前記（１）〜（２）記載の本発明の照明制御システムによれば、電話機から決められた内線番号に電話をするだけでその電話機に紐付けされた照明機器の照明状態を管理することができる。
したがって、壁等に設置されている制御スイッチの設置箇所まで出向くことなく、調整をしたい照明器具と紐付けされた電話機から決められた内線番号を送信するだけで、煩雑な手間をかけることなく簡単に、執務者の事務スペースを代表する電話機に紐付けられた照明器具を点灯消灯して、適切な照度を得ながら最適な省エネルギーを実行することができる。
【図面の簡単な説明】
【０００７】
【図１】本発明の実施例のシステム構成を示す図
【図２】本発明の実施例における紐付けファイル例を示す図
【図３】アナログ電話機とデジタル電話機を使用する場合のＰＢＸとＣＴＩサーバとの接続構成を表す図
【図４】ＩＰ電話機を使用する場合のＰＢＸとＣＴＩサーバとの接続構成を表す図
【図５】アナログ電話機、デジタル電話機とＩＰ電話機を使用する場合のシステム構成図
【図６】本発明の実施例における処理フローを表す図
【実施例】
【０００８】
本発明の実施の態様を図に基づいて説明する。
図１は本発明の実施例のシステム構成を示す図である。
同図において１は電話機、２はＰＢＸ（構内交換機）、３はＣＴＩサーバ、４は管理マネージャ、５はコンピュータインターフェースユニット、６は照明ネットワーク、７は照明機器、８は電話網、９はＬＡＮ（Ｌｏｃａｌ Ａｒｅａ  Ｎｅｔｗｏｒｋ）網である。
本発明において、電話機１とは、各電話機に付与された固有の番号（発信者番号）を持つものであり、通常、アナログ電話機、デジタル電話機、ＩＰ電話機のいずれの電話機においても、前記固有の番号が付与されていることから、電話機の種類を問わず、いずれの電話機であってもよい。また、内線機能は、通常企業の構内等で内線電話網を構築する際に使用されるＰＢＸ（Ｐｒｉｖａｔｅ  Ｂｒａｎｃｈ  Ｅｘｃｈａｎｇｅ：構内交換機）をそのまま利用することから、特別に別途装置や、機能を必要としないので、あらゆる内線電話網を有する環境にある電話機を利用することができる構成となっている。
ＰＢＸ２は、電話機１と電話網８で接続され、通話双方向信号以外に、受話器を取って自動発信される電話機1からの発呼信号、前記電話機１から発信された相手先内線番号信号と該相手先内線番号を掛けた電話機の固有番号（以下、発信者番号）信号を受信したり、発呼信号を受けて相手先内線番号がダイヤル可能となったことを知らせる発信音信号、相手先を呼び出している呼出音信号、回線が通話状態から切れた切断信号を前記電話機１へ発信したりする内線インターフェース２−１、前記電話網８に接続されているすべての電話機の内線番号情報を記録保持している内線データ記録部２−２、相手先内線番号で限定された電話機１’に対して、通話双方向信号以外に、呼出信号を発信したり、前記電話機１’から応答信号や終話信号を受信したりする内線インターフェース２−１’、及び、前記発呼信号を検出し受信準備を判断し、前記発信音信号を発呼信号の出所へ戻したり、前記内線インターフェース２−１が受信した相手先内線番号を前記内線データ記録部２−２に記録保持されている内線データベースにて照合したり、前記相手先電話機１’に前記呼出信号を送出したり、前記応答信号に基づいて通話双方向信号に切り替えたり、前記終話信号に基づいて通話双方向信号を切断する制御部２−４から構成されている。
このように、受信した相手先内線番号が照明制御用内線番号でない場合は、上記のような通常の処理により該当内線番号の電話機に転送され、当該電話機は着信を受けることとなる。
そして、本発明において、ＰＢＸ２は、該相手先内線番号が照明制御用内線番号であった場合、当該電話機１の発信者番号情報を内線インターフェース２−３を介して、ＣＴＩサーバの内線インターフェース３−２へ転送し、ＣＴＩサーバは、電話機の代わりに着信を受けることとなる。
【０００９】
本発明におけるＣＴＩサーバ３は、電話網とコンピュータを連携させるシステム（ＣＴＩ：Computer Telephony Integration System）を組み込んだサーバであり、前記ＰＢＸ２と電話網の一部で接続され（例えば、通信速度１．５ＭｂｐｓのＴ１規格のデジタル専用回線接続）、前記ＰＢＸ２における電話情報をコンピュータで処理可能な形式にしている。
電話網の信号方式は、ダイヤルパルス方式（DP方式）、マルチフリクエンシイ方式（MF方式）、シグナルセンド＆レシーブ方式（SR方式）のようなアナログ信号でも、デジタル回線交換信号方式でも良い。デジタル回線交換信号方式は、共通線信号方式、ＩＳＤＮユーザー・網インターフェース方式でも、高速デジタル専用回線（前記ＴＩ規格も含む）でもよく、パケット交換網でも、ＶｏＩＰ方式でも良い。
前記ＣＴＩサーバ３は、前記ＰＢＸ２の内線インターフェース２−３から転送される発信者番号情報を電話網の通信規格で受信する内線インターフェース３−１、該内線インターフェース３−１を介して受信した前記発信者番号情報を着信を受けると前記送信された電話機の発信者番号情報を元にＣＳＶファイルの形式で発信者番号情報としてＬＡＮに送信可能に変換する発信者番号情報変換部３−２、発信者番号情報をＬＡＮインターフェース３−３を介して、ＬＡＮ網９で接続された管理マネージャ４のＬＡＮインターフェース４−１へ送信可能に一時保管するＣＴＩサーバ制御部３−４とから構成されている。
前記ＣＴＩサーバ制御部３−４は、内線インターフェース３−１から受信した発信者番号情報を例えば、ＣＳＶ形式などのテキストファイル形式で発信者番号情報変換部３−２にて変換しファイルを作成し、一時的に保管する。
なお、情報過多による発信者番号情報変換部３−２及びＣＴＩサーバ制御部３−４の負荷を防止するため、後述するように管理マネージャ４が一時保管された発信者番号情報を読み込む動作を完了すると同時に、前記発信者番号情報を発信者番号情報変換部３−２及びＣＴＩサーバ制御部３−４から削除する構成とすることが好ましい。  
また、前記ＣＴＩサーバ制御部３−４は、前記呼出信号及び相手先内線番号を掛けた電話機の発信者番号信号しか利用しない電話網回線の負荷を防止するため、発信者番号情報を発信者番号情報変換部３−２及びＣＴＩサーバ制御部３−４にて変換しファイルを作成し一時保管すると同時に、ＰＢＸ２の内線インターフェース２−３へ終話信号を送付し回線切断処理を行うことが好ましい。
ＬＡＮインターフェース３−３は、前記テキストファイル化された前記発信者番号情報をＩＰパケット等に情報変換して、管理マネージャ４からの要求に応じてＬＡＮ網９に送出し管理マネージャ４のＬＡＮインターフェース４−１に送信する。
なお、本実施の態様においてはＰＢＸ２とＣＴＩサーバ３とをＴ１というデジタルの専用線で接続しデジタル信号でＰＢＸ２からＣＴＩサーバ３に発信者番号情報の送信をしているが、ＰＢＸ２とＣＴＩサーバ３との接続はＢＲＩ接続（２ｃｈ）やアナログ接続（１ｃｈ）など、電話機１の発信者番号情報を迅速に送信できる方式であれば、いずれの接続方式であっても良い。
また、ＣＴＩサーバ３と管理マネージャ４との接続は、本実施例では、ＬＡＮ接続で説明しているが、ＣＴＩサーバ３と管理マネージャ４とが相互にデータの送受信が可能であれば、特に接続方式が限定されるものではない。
【００１０】
本発明における管理マネージャ４は、ＣＴＩサーバ３のＬＡＮインターフェース３−３とＬＡＮ網９で接続されているＬＡＮインターフェース４−１、管理マネージャ制御部４−２、紐付けファイル記録部４−３、照明状態値記録部４−４、ゲートウェイプログラム４−５、通信インターフェース４−６、操作部４−７、表示部４−８とから構成されている。
紐付けファイル記録部４−３には、あらかじめ、照明器具７ごとに、電話機１の内線番号情報が紐付けされた紐付けファイル１０が保存されている。
これにより、送信されてきた発信者番号情報にかかる内線番号が、どの照明器具７を制御するのか照合可能となっている。
また、照明状態値記録部４−４には、各内線番号に紐付けされた個々の照明機器の現在の照明制御の状態値（以下、状態値）が記録される。例えば、照明状態値記録部４−４に記録されている状態値を、照明機器７について最後に操作された状態値で記録する。
照明器具７は、消灯状態及び点灯状態の二段階制御や、消灯状態・３０％点灯状態・７０％点灯状態の三段階制御、消灯状態・３０％点灯状態・５０％点灯状態・７０％点灯状態の四段階制御など、任意の段階制御が可能であり、本発明は、このようなどの段階制御であっても、最後に操作された状態を状態値として記録しておくことで対応ができる構成となっている。
【００１１】
図２は本発明の実施例における紐付けファイルの一例を示す。
（ａ）は、紐付けファイル、（ｂ）は内線番号情報とそれにより制御される照明機器との関係を示す図である。
紐付けファイル１０は、電話機１の内線番号情報とその内線番号情報に対応する照明機器７の照明機器に付された番号を記載したファイルである。
同図（ａ）に示すように、内線番号情報６ＸＯ１の電話機１には、照明番号０１−０１の照明機器７が紐付けられていて、内線番号６ＸＯ１の電話機から照明制御用内線番号を発信すると、前記照明番号０１−０１の照明機器７が制御される。
また、内線番号６ＸＯ２の電話機１には、照明番号０１−０２と０１−０３の二つの照明機器番号が紐付けられていて、内線番号６ＸＯ２の電話機から照明制御用内線番号を発信すると、前記照明番号０１−０２及び０１−０３の二つの照明機器が制御される。このように設定することで１つの電話機で複数の照明機器を制御することが出来る。
また、内線番号６ＸＯ４と６ＸＯ５の電話機には、照明番号０１−０４の照明機器が紐付けられていて、内線番号６ＸＯ４と６ＸＯ５の何れかの電話機から照明制御用内線番号を発信すると、前記照明番号０１−０４の照明機器が制御される。このように複数の電話機で一つの照明器具を制御することも出来る。
【００１２】
管理マネージャ４の管理マネージャ制御部４−２は、前記発信者番号情報変換部３−２及びＣＴＩサーバ制御部３−４にてテキストファイル化された発信者番号情報ファイルが生成されると、ＬＡＮインターフェース４−１とＬＡＮ網９で接続されているＬＡＮインターフェース３―３を介して前記発信者番号情報ファイルを読み込み、前記紐付けファイル１０で前記発信者番号情報ファイルの発信者番号情報を照合し、前記発信者番号情報から該当内線番号を識別し、紐付けされた照明番号情報を取得する。
また、管理マネージャ制御部４−２は、前記取得した照明番号情報と、該照明番号情報から前記照明状態値記録部４−４に記録されている前記照明番号情報に該当する照明機器７の現在の状態値を確認し、照明機器の状態値を次の状態値に進めるように照明制御情報をゲートウェイプログラム４−５に送信する。
ここで前記照明番号情報に該当する照明機器の状態値を次の状態値に進めるとは、例えば、制御設定が三段階制御の場合は、一段階が「消灯」、二段階が「３０％点灯」、三段階が「７０％点灯」に設定され、前記照明番号情報に該当する照明機器の最後の状態値が、一段階の「消灯」の状態にある場合は、次の状態値は「３０％点灯」となる。また、最後の状態値が、二段階の「３０％点灯」の状態にある場合は、次の状態値は「７０％点灯」となる。そして最後の状態値が、三段階の「７０％点灯」の状態にある場合は、次の状態値は「消灯」状態となり、制御部４−２からの指示により、それぞれ該当する段階の状態値を一段階進めるという制御を行う。
すなわち、照明機器７の最後の状態値が「消灯」の場合、電話機１から照明制御用内線番号に電話をすると前記電話機１の内線番号に紐付けされた照明機器７が「３０％点灯」になり、その状態値においてもう一度電話機１から照明制御用内線番号に電話をすると照明機器が「７０％点灯」になり、更にもう一度電話機１から照明制御用内線番号に電話をすると照明機器が「消灯」状態になる。
ゲートウェイプログラム４−５は、受信した照明番号情報の照明制御信号を各種照明制御コマンドに変更し、通信インターフェース４−６からコンピュータインターフェースユニット５に送信し、照明ネットワーク６に接続されている照明機器７の制御を行う。
なお、電話機１から発信された発信者番号情報は、すべて管理マネージャまで送信されるが、前記発信者番号情報が照明制御に割り当てられていない電話機１からの着信である場合は、管理マネージャ側で処理されない。
表示部４−８には、電話番号や照明機器の点灯状態等が表示される。
上記のように構成された本実施例によれば、電話機１から照明制御用内線番号を発信するだけで、該電話機１に紐付けられた照明機器７を制御することが出来る。
【００１３】
図３は、電話機としてアナログ電話機とデジタル電話機を使用する場合のＰＢＸとＣＴＩサーバとの接続構成を表す図である。
同図に示すようにＰＢＸ２１は、デジタル電話機１１と電話網８１で接続されていて、該デジタル電話機１１から発信されたデジタル信号を受け取り電話機１１への信号を発信するデジタル回線インターフェース２１−１、アナログ電話機１２と電話網８２で接続されていて、該アナログ電話機１２から発信されたアナログ信号を受け取り電話機１２への信号を発信するアナログ回線インターフェース２１−３、電話網８１、８２に接続されているすべての電話機の内線情報を記録保持している内線データ記録部２１−２、前記デジタル回線インターフェース２１−１及びアナログ回線インターフェース２１−３が受け取った相手先内線番号を前記内線データ記録部２１−２に記録保持されている内線データベースにて照合し、該相手先内線番号が照明制御用内線番号であった場合、Ｔ１回線インターフェース２１−５を介して、ＣＴＩサーバ３１のＴ１回線インターフェース３１−１へ送信する制御部２１−４とから構成されている。具体的な発呼信号、発信音信号、呼出信号、呼出音信号、応答信号、終話信号(切断信号)などの扱いは、ＰＢＸ２と同様である。
なお、受け取った相手先内線番号が照明制御用内線番号でない場合は、通常の処理により該当内線番号の電話機に転送される。
ＣＴＩサーバ３１は、前記ＰＢＸ２１とデジタル回線（例えば、Ｔ１接続）で接続されていて、前記ＰＢＸ２１のＴ１回線インターフェース２１−５から転送される発信者番号情報を受信するＴ１回線インターフェース３１−１、該Ｔ１回線インターフェース３１−１が受信した前記発信者番号情報を変換する発信者番号情報変換部３１−２、該発信者番号情報変換部３１−２で変換された発信者番号情報をＬＡＮインターフェース３１−３を介して、ＬＡＮ網９１で接続された管理マネージャ４のＬＡＮインターフェース４−１へ送信するＣＴＩサーバ制御部３１−４とから構成されている。
なお、発信者番号情報変換部３１−２及びＣＴＩサーバ制御部３１−４の構成と作用は、図１の発信者番号情報変換部３−２及びＣＴＩサーバ制御部３−４と同じであるので省略する。
【００１４】
図４は、電話機としてＩＰ電話機を使用する場合のＰＢＸとＣＴＩサーバとの接続構成を表す図である。
同図に示すようにＰＢＸ２２は、ＩＰ電話機１３と、ＬＡＮ網９２で接続され、該ＩＰ電話機１３から発信されたIPパケットを受信するＬＡＮインターフェース２２−１、該ＬＡＮインターフェース２２−１が受信した相手先内線番号を前記内線データ記録部２２−２に記録保持されている内線データベースにて照合し、該相手先内線番号が照明制御用内線番号であった場合、Ｔ１回線インターフェース２２−３を介して、ＣＴＩサーバ３３のＴ１回線インターフェース３２−１へ送信する制御部３２−４とから構成されている。
また、ＣＴＩサーバ３２は、前記ＰＢＸ２２とデジタル回線（例えば、Ｔ１接続）で接続され、前記ＰＢＸ２２のＴ１回線インターフェース２１−５から転送される発信者番号情報を受信するＴ１回線インターフェース３２−１、該Ｔ１回線インターフェース３２−１が受信した前記発信者番号情報を変換する発信者番号情報変換部３２−２、該変換された発信者番号情報をＬＡＮインターフェース３２−３を介して、ＬＡＮ網９２接続された管理マネージャ４のＬＡＮインターフェース４−１へ送信するＣＴＩサーバ制御部３２―４とから構成されている。
なお、発信者番号情報変換部３２−２及びＣＴＩサーバ制御部３２−４の構成と作用は、図１の発信者番号情報変換部３−２及びＣＴＩサーバ制御部３−４と同じであるので省略する。
【００１５】
図５は、電話機としてアナログ電話機、デジタル電話機、ＩＰ電話機を使用する場合の実施例である。
同図に示すようにＰＢＸ３には、デジタル電話機１１、アナログ電話機１２、ＩＰ電話機１３がそれぞれの電話網と接続されている。
なお、各構成に関しては、前記図１〜図４に記載されている構成と同じであるので説明を省略する。
【００１６】
次に図１のシステム構成図、図６の処理フローに基づいて、本発明の照明制御システムにおける照明機器の制御を説明する。
図６のステップＳ１では、操作者が電話機１から相手先内線番号を掛けると電話網８に接続されたＰＢＸ２に、内線インターフェース２−１を介して前記電話機１から発信された相手先内線番号とその電話機１の発信者番号情報が送信される。
ここで、受話器を取って自動発信される電話機1から制御部２−４への発呼信号、発呼信号を受けて制御部２−４から電話機１へ相手先内線番号がダイヤル可能となったことを知らせる発信音信号の送受信の手順があったあとであることは言うまでもない。
そして、ステップＳ２では、ＰＢＸ２の制御部２−４が、前記電話機１から送信された相手先内線番号を内線データ記録部２−２に記録保持されている内線データベースにて照合し、該相手先内線番号を確認する。
ステップＳ３では、前記相手先内線番号が照明制御用内線番号でない場合は、該相手先内線番号の電話機に転送し（ステップＳ４）、照明制御用内線番号であった場合は、発信者番号情報を内線インターフェース２−３と回線接続されている内線インターフェース３−１を介して、ＣＴＩサーバ３へ転送する（ステップＳ５）。
ここで、制御部２−４から電話機１へ相手先を呼び出していることを知らせる呼出音信号、制御部２−４から内線インターフェース２−３へ送る呼出信号、ＣＴＩサーバ３から内線インターフェース２−３に送られる応答信号の送受信の手順があったあとであることは言うまでもない。
ステップＳ６では、ＣＴＩサーバ３のＣＴＩサーバ制御部３−４が、内線インターフェース３−１を介して受信した前記発信者番号情報を発信者番号情報変換部３−２にて変換し、テキストファイル形式の発信者番号情報ファイルを生成する。
ステップＳ７では、管理マネージャ４の管理マネージャ制御部４−２が、ＬＡＮインターフェース４−１とＬＡＮ網９で接続されているＬＡＮインターフェース３―３を介して前記ＣＴＩサーバの発信者番号情報変換部３−２及びＣＴＩサーバ制御部３−４にて発信者番号情報ファイルが生成されているか確認する。
ステップＳ８では、前記発信者番号情報ファイルが生成されている場合は、管理マネージャ制御部４−２の動作により該ファイルをＬＡＮインターフェース３―３を介して読み込み、該ファイル上の発信者番号情報を紐付けファイル記録部４−３に記録されている紐付けファイル１０から検索し、該当する発信者番号情報があった場合、その発信者番号情報に係る内線番号を識別し、紐付けされた照明番号情報を取得する（ステップＳ９）。
ステップＳ１０では、管理マネージャ制御部４−２は、前記取得した照明番号情報と、該照明番号情報から前記照明状態値記録部４−４に記録されている前記照明番号情報に該当する照明機器の現在の状態値を確認し、照明機器の状態値を次の状態値に進めるように照明制御情報をゲートウェイプログラム４−５に送信する。
ステップＳ１１では、ゲートウェイプログラム４−５は、受信した照明番号情報の照明制御信号を各種照明制御コマンドに変更し、通信インターフェース４−６からコンピュータインターフェースユニット５に送信し、照明ネットワーク６に接続されている照明機器の制御を行う。
【００１７】
上記の様に本発明の照明制御システムによれば、電話機から、制御したい照明機器の指定や、特定の照明制御情報を入力する必要が無く、操作者は電話機から照明制御用内線番号を発信するだけで、目的の照明機器を制御することが可能となる。
なお、本発明は、照明制御にかかるシステムであるが、管理マネージャ４において、紐付けファイル４−３の紐付け対象を照明機器以外の機器、例えば空調機器にして、制御部４−２で空調機器制御信号を各種空調制御コマンドに変更して、コンピュータインターフェースユニットへ送信することで、空調機器を管理するネットワークに接続されている各種空調機器を個別に制御することもできる。
【符号の説明】
【００１８】
１：電話機
２：ＰＢＸ
２−１：内線インターフェース
２−２：内線データ記録部
２−３：内線インターフェース
２−４：制御部
３：ＣＴＩサーバ
３−１：内線インターフェース
３−２：発信者番号情報変換部
３−３：ＬＡＮインターフェース
３−４：ＣＴＩサーバ制御部
４：管理マネージャ
４−１：ＬＡＮインターフェース
４−２：管理マネージャ制御部
４−３：紐付けファイル記録部
４−４：照明状態値記録部
４−５：ゲートウェイプログラム
４−６：通信インターフェース
４−７：操作部
４−８：表示部
５：コンピュータインターフェ−スユニット
６：照明ネットワーク
７：照明機器
８：電話網
９：インターネット網
１０：紐付けファイル
１１：デジタル電話機
１２：アナログ電話機
１３：ＩＰ電話機
【図１】
0006448970.tif 000002
【図２】
0006448970.tif 000003
【図３】
0006448970.tif 000004
【図４】
0006448970.tif 000005
【図５】
0006448970.tif 000006
【図６】
0006448970.tif 000007